【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  洗浄後の水気を帯びた状態の使用済食品容器を、室内に設置された収納部に取り出し可能に収納し、
この収納部で空気を強制的に通過させることにより、前記収納部内の前記使用済食品容器を乾燥させることを特徴とする使用済食品容器乾燥庫。
【請求項２】  請求項１に記載の使用済食品容器乾燥庫であって、
前記収納部は、開口部を有する中空の収納部本体と、この収納部本体に引き出し，収納自在に設けられ、前板で前記開口部を塞ぐことが可能な引き出しと、この引き出しに着脱可能に載置され、前記使用済食品容器を収納可能で持ち運び自在な内容器とを有し、
前記引き出しが前記収納部本体に収納された状態のとき、前記使用済食品容器を乾燥させるための前記空気は、前記前板または蹴込み部に形成された吸気用開口から前記引き出し内に入って前記内容器内を流れた後、前記収納部本体の内部から屋外または室内に排気されることを特徴とする使用済食品容器乾燥庫。
【請求項３】  請求項２に記載の使用済食品容器乾燥庫であって、
前記内容器は、底板と、この底板の外周縁全周から上方に立ち上がっている側板とを有し、
前記内容器内に収納された前記使用済食品容器が前記底板にぴったりと密着して通風を妨げることがないように、前記底板の上面を波型またはその他の凹凸のある形状にしたことを特徴とする使用済食品容器乾燥庫。
【請求項４】  請求項３に記載の使用済食品容器乾燥庫であって、
前記内容器内に前記空気を取り入れるための複数の空気取り入れ部を、前記底板の全体にわたって配置し、
この空気取り入れ部には立ち上がり管が一体的にまたは別体で前記底板に固定され、この立ち上がり管は、前記底板を貫通するとともにこの底板の上面より上方まで立ち上がって上下が開口しており、
カバー部材が前記立ち上がり管を覆って取付けられ、このカバー部材は、有底筒状のものを逆さまにして配置され、側面には複数のカバー部材開口部が穿設されており、
前記内容器が前記引き出し上に載置された状態で、前記空気は、前記立ち上がり管を通って前記カバー部材内に入り、前記カバー部材開口部から出て前記内容器内に流入するようにしたことを特徴とする使用済食品容器乾燥庫。
【請求項５】  請求項３または４に記載の使用済食品容器乾燥庫であって、
前記底板には、前記使用済食品容器の転倒を防止してこれら使用済食品容器の内部側も乾燥させるための細長い棒状管が上方に延びて取付けられ、
この棒状管の下部は前記底板を貫通して下方に開口し、前記棒状管の上端部またはその近傍には棒状管開口部が形成されており、この棒状管開口部から流出した前記空気が横方向に流れ出るようになっていることを特徴とする使用済食品容器乾燥庫。
【請求項６】  請求項４または５に記載の使用済食品容器乾燥庫であって、
前記収納部本体から排気用配管に至る空気流路の途中に取付けられた吸気ファンによって前記空気を強制的に流すようにしたことを特徴とする使用済食品容器乾燥庫。
【請求項７】  請求項５に記載の使用済食品容器乾燥庫であって、
前記収納部本体から排気用配管に至る空気流路の途中に吸気ファンを取付け、
この吸気ファンが運転されると、前記室内の前記空気が前記吸気用開口を通って空間に入り、この空気は、前記空気取り入れ部では前記空間から前記立ち上がり管内を上昇し、前記カバー部材の内部を通って、前記カバー部材開口部から前記内容器内に流入し、
一方、前記空気は、前記空間から前記棒状管内を上昇して前記棒状管開口部から流出し、前記棒状管に前記使用済食品容器がセットされている場合、前記棒状管開口部から流出した前記空気は、これら使用済食品容器内を下方に流れてこの使用済食品容器の内部を乾燥させ、これら使用済食品容器の下部の出口から前記内容器内に流出したのち、この内容器内を上昇し、
こうした前記空気の流れにより前記内容器内の前記使用済食品容器を乾燥させるようにしたことを特徴とする使用済食品容器乾燥庫。
【請求項８】  請求項６または７に記載の使用済食品容器乾燥庫であって、
前記排気用配管の途中には逆流防止手段が取付けられており、前記吸気ファンが停止しているときに、前記収納部本体内の臭気が前記室内に漏れ出ないようにしていることを特徴とする使用済食品容器乾燥庫。
【請求項９】  請求項１ないし８のいずれかの項に記載の前記使用済食品容器乾燥庫が組込まれた分別収納庫であって、
前記使用済食品容器を含むごみの全体をこのごみの種類に応じて分別して収納し保管するための複数の引き出しと、
これら複数の引き出しが引き出し，収納可能に設けられたキャビネットと、
このキャビネットに組込まれた前記使用済食品容器乾燥庫とを備えたことを特徴とする使用済食品容器乾燥庫を有する分別収納庫。
【請求項１０】  請求項９に記載の分別収納庫であって、
この分別収納庫は厨房家具に組込まれていることを特徴とする使用済食品容器乾燥庫を有する分別収納庫。
【手続補正２】
【補正対象書類名】明細書
【補正対象項目名】０００９
【補正方法】変更
【補正の内容】
【０００９】
【課題を解決するための手段】
上述の目的を達成するため、本発明にかかる使用済食品容器乾燥庫は、洗浄後の水気を帯びた状態の使用済食品容器を、室内に設置された収納部に取り出し可能に収納し、この収納部で空気を強制的に通過させることにより、前記収納部内の前記使用済食品容器を乾燥させている。
前記収納部は、開口部を有する中空の収納部本体と、この収納部本体に引き出し，収納自在に設けられ、前板で前記開口部を塞ぐことが可能な引き出しと、この引き出しに着脱可能に載置され、前記使用済食品容器を収納可能で持ち運び自在な内容器とを有し、前記引き出しが前記収納部本体に収納された状態のとき、前記使用済食品容器を乾燥させるための前記空気は、前記前板または蹴込み部に形成された吸気用開口から前記引き出し内に入って前記内容器内を流れた後、前記収納部本体の内部から屋外または室内に排気されるようにするのが好ましい。
前記内容器は、底板と、この底板の外周縁全周から上方に立ち上がっている側板とを有し、前記内容器内に収納された前記使用済食品容器が前記底板にぴったりと密着して通風を妨げることがないように、前記底板の上面を波型またはその他の凹凸のある形状にするのが好ましい。
好ましい一実施態様として、前記内容器内に前記空気を取り入れるための複数の空気取り入れ部を、前記底板の全体にわたって配置し、この空気取り入れ部には立ち上がり管が一体的にまたは別体で前記底板に固定され、この立ち上がり管は、前記底板を貫通するとともにこの底板の上面より上方まで立ち上がって上下が開口しており、カバー部材が前記立ち上がり管を覆って取付けられ、このカバー部材は、有底筒状のものを逆さまにして配置され、側面には複数のカバー部材開口部が穿設されており、前記内容器が前記引き出し上に載置された状態で、前記空気は、前記立ち上がり管を通って前記カバー部材内に入り、前記カバー部材開口部から出て前記内容器内に流入するようにしている。
さらに、前記底板には、前記使用済食品容器の転倒を防止してこれら使用済食品容器の内部側も乾燥させるための細長い棒状管が上方に延びて取付けられ、この棒状管の下部は前記底板を貫通して下方に開口し、前記棒状管の上端部またはその近傍には棒状管開口部が形成されており、この棒状管開口部から流出した前記空気が横方向に流れ出るようになっているのが好ましい。
前記使用済食品容器乾燥庫は、前記収納部本体から排気用配管に至る空気流路の途中に取付けられた吸気ファンによって前記空気を強制的に流すようにするのが好ましい。
たとえば、前記使用済食品容器乾燥庫は、前記収納部本体から排気用配管に至る空気流路の途中に吸気ファンを取付け、この吸気ファンが運転されると、前記室内の前記空気が前記吸気用開口を通って空間に入り、この空気は、前記空気取り入れ部では前記空間から前記立ち上がり管内を上昇し、前記カバー部材の内部を通って、前記カバー部材開口部から前記内容器内に流入し、一方、前記空気は、前記空間から前記棒状管内を上昇して前記棒状管開口部から流出し、前記棒状管に前記使用済食品容器がセットされている場合、前記棒状管開口部から流出した前記空気は、これら使用済食品容器内を下方に流れてこの使用済食品容器の内部を乾燥させ、これら使用済食品容器の下部の出口から前記内容器内に流出したのち、この内容器内を上昇し、こうした前記空気の流れにより前記内容器内の前記使用済食品容器を乾燥させるようにするのが好ましい。
前記排気用配管の途中には逆流防止手段が取付けられており、前記吸気ファンが停止しているときに、前記収納部本体内の臭気が前記室内に漏れ出ないようにしているのが好ましい。
本発明にかかる分別収納庫は、前記使用済食品容器乾燥庫が組込まれた分別収納庫であって、前記使用済食品容器を含むごみの全体をこのごみの種類に応じて分別して収納し保管するための複数の引き出しと、これら複数の引き出しが引き出し，収納可能に設けられたキャビネットと、このキャビネットに組込まれた前記使用済食品容器乾燥庫とを備えている。また、前記分別収納庫を厨房家具に組込むのが好ましい。
【手続補正３】
【補正対象書類名】明細書
【補正対象項目名】００３２
【補正方法】変更
【補正の内容】
【００３２】
吸気ファン１３が運転されると、室内の空気Ａが前板７の吸気用開口１０を通って空間Ｓに入る。次いで、空気Ａは、空気取り入れ部４３では、空間Ｓから立ち上がり管４４内を上昇し、カバー部材４６の内部を通って、開口部４７から内容器９内に流入する。
一方、空気Ａは、空間Ｓから棒状管４８内を上昇して開口部４９から流出し、カバー部材５０に当たって横方向に流れ出る。なお、図４に示す棒状管４８の場合には、開口部４９ａから横方向に流出する。
棒状管４８にペットボトル，瓶，缶などがセットされている場合、開口部４９から流出した空気Ａは、これら使用済食品容器２内を下方に流れるので、使用済食品容器２の内部が乾燥する。そして、この空気Ａは、これら使用済食品容器２の下部の出口から内容器９内に流出したのち、この内容器９内を上昇する。こうした空気Ａの流れにより、内容器９内の使用済食品容器２が乾燥する。
【手続補正４】
【補正対象書類名】明細書
【補正対象項目名】図面の簡単な説明
【補正方法】変更
【補正の内容】
【図面の簡単な説明】
【図１】
図１ないし図１３は本発明の実施形態を示す図で、図１は、使用済食品容器乾燥庫の一実施形態を示す斜視図である。
【図２】
図１に示す使用済食品容器乾燥庫の内容器を示す図である。図２（Ａ），（Ｂ），（Ｃ）は、それぞれ前記内容器の斜視図，Ｂ部拡大図，Ｃ部拡大図である。
【図３】
前記使用済食品容器乾燥庫の断面図である。
【図４】
図４（Ａ）〜（Ｄ）は、前記内容器に設けられる棒状管の各種変形例を示す斜視図である。
【図５】
前記使用済食品容器乾燥庫の動作を示すフローチャートである。
【図６】
図６（Ａ）は、濡れた状態の使用済食品容器の乾燥実験を行なったときの乾燥対象物の一覧表、図６（Ｂ）は、乾燥状態の実験データを示す表、図６（Ｃ）は、図６（Ｂ）に示す実験データのグラフである。
【図７】
図７ないし図１２は、前記使用済食品容器乾燥庫が組込まれた分別収納庫の一実施形態を示す図で、図７は前記分別収納庫の正面図である。
【図８】
図８（Ａ）は、図７に示す分別収納庫の斜視図、図８（Ｂ）は、図８（Ａ）の変形例にかかる分別収納庫の斜視図である。
【図９】
図８（Ａ），（Ｂ）に示す分別収納庫の各引き出しを引き出した状態を示す斜視図である。
【図１０】
図９に示す分別収納庫に使用済食品容器などを分別収納した状態を示す斜視図である。
【図１１】
図８（Ａ），（Ｂ）に示す分別収納庫の使用済食品容器乾燥庫における内容器を示す斜視図である。
【図１２】
キッチンなどで発生する各種ごみに関する分別収納庫の商品性の比較表である。
【図１３】
前記分別収納庫をキッチンの収納庫に組込んだ状態を示す斜視図である。
【符号の説明】
１      使用済食品容器乾燥庫
２      使用済食品容器
３      収納部
４，４ａ    分別収納庫
５      開口部
６      収納部本体
７      前板
８      引き出し
９      内容器
１０    吸気用開口
１１    排気用配管
１３    吸気ファン
２２    室内
２４    屋外
２６    逆流防止手段
４１    底板
４２    側板
４３    空気取り入れ部
４４    立ち上がり管
４５    底板の上面
４６    カバー部材
４７    カバー部材開口部
４８    棒状管
４９，４９ａ    棒状管開口部
６０ａ〜６０ｅ    引き出し
６１    キャビネット
７１    収納庫（厨房家具）
Ａ      空気
Ｓ      空間